(57)【特許請求の範囲】
【請求項１】
長方形の鋳鉄に円形の孔を多数並べて形成するとともに、この鋳鉄の両側上下４箇所に浅い溝を形成した鋳鉄枠を２個並べ、鋳鉄枠の各孔に一定の長さの木材を差し込み、各木材の両側部の鋳鉄枠の内側と外側の４箇所に釘の長さの半分程度を打ち込むことにより鋳鉄枠と木材とを互いに固定して簀の子状のユニットを形成し、前記ユニットを浅い溝同士が重なるように井桁状に組み上げたことを特徴とする鋳鉄枠組み木材魚礁
【請求項２】
前記鋳鉄枠組み木材魚礁を海底面に四方に一定間隔あけて配置したことを特徴とする請求項１記載の鋳鉄枠組み木材魚礁
【請求項３】
外側周囲四方にコンクリート魚礁を配置して、海流や潮流等の影響を防止するようにしたことを特徴とする請求項１または２記載の鋳鉄枠組み木材魚礁
【請求項４】
前記コンクリート魚礁が、潮流を上方に受け流すことができるように外側に向かって低くなるような傾斜部を形成したことを特徴とする請求項３に記載の鋳鉄枠組み木材魚礁
【請求項５】
前記コンクリート魚礁に、水平方向に四角いトンネル状の空間を数箇所設けたことを特徴とする請求項３または４記載の鋳鉄枠組み木材魚礁
【請求項６】
前記コンクリート魚礁間に、矩形や円形等の筒状、箱状等の細かく区画された多数の空間を有するパイプ組み魚礁を配置したことを特徴とする請求項３，４または５に記載の鋳鉄枠組み木材魚礁
【請求項７】
前記コンクリート魚礁間に係船用コンクリートブロックを配置したことを特徴とする請求項３，４，５または６に記載の鋳鉄枠組み木材魚礁
【請求項８】
前記係船用コンクリートブロックからロープでフロートを水面上に浮かべ、作業船を洋上で一定の位置に固定できるようにしたことを特徴とする請求項７に記載の鋳鉄枠組み木材魚礁
【発明の詳細な説明】
【0001】
【発明の属する技術分野】
この発明は、海中の自然環境の中で多種類のプランクトンや稚魚を発生させ、成魚まで育成することを目的に、鋳鉄枠組み木材魚礁、コンクリート魚礁、パイプ組み魚礁、および係船用コンクリートブロックの構造、配置方法等に関する技術分野に属する。
【0002】
【従来の技術】
これまで魚礁は、一種類の形状の魚礁を多数投下して不規則に沈設する方法が一般に行われているが、その魚礁の形状を好む限られた魚種、あるいは特定の大きさの魚だけが集まる傾向が強かった。
【0003】
このような魚礁では、集まった魚の餌となるプランクトンや小動物が生息できる環境が不十分なため、集まった魚が魚礁内部や周辺で成育していくための食物連鎖が構築されず、結果的に魚礁に定着する魚が少ない、あるいは定着しないなどの問題が解消されなかった。
【0004】
設置する魚礁で魚を増殖させることを考慮していないため、魚礁付近では、周辺海域から集まってきた魚が漁獲されるのみで、魚礁そのものには新たな資源を生み出す能力が無かった。
【0005】
間伐材を利用する木材魚礁は、コンクリートを基盤にしてこれに木材の一端を埋め込んだり、コンクリートに固定された鉄筋を利用して木材を固定する方法がとられているが、海中では木材は２〜３年で消失するため、魚礁として有効な期間もその程度と極めて短く、費用対効果に大きな問題があった。
【0006】
魚礁の設置は、全国各地で漁業振興の中心施策として永年取り組まれてきたが、基本的に魚を増やす能力が欠けているため、長期的に見た場合、漁業振興の目的とは反対に漁獲高減少を招き、漁業不振は深刻化の一途にある。
【0007】
【発明が解決しようとする課題】
本件魚礁により稚魚が大量に生育できる環境を作り出し、豊かな水産資源に恵まれた漁業環境を実現すること。
【0008】
海底は岸の近くを除くと大部分は砂地であり、岩場や礫などが点在する場合もあるが、魚が生息するのに好適な生息場所となる岩場や穴、隙間などは極めて少ない実態にあり、この状況を大きく改善しない限り漁業資源の増加は望めない。
【0009】
現在主流の単一種類の魚礁を多数設置する方法では、回遊魚が集まるだけで、魚が稚魚から育つための食物連鎖を備えた環境を作ることができないため、魚礁の設置が漁業資源の増大に寄与していない。
【0010】
多くの魚礁が、水深５０〜１００メートルの海底に設置されているため、潜水作業の範囲を超えており、設置後の調査や管理が事実上不可能となっている。
【0011】
設置される魚礁について、設置後の管理がほとんど行われておらず、事実上全く放置されているため、せっかく設置された魚礁が短期間で所期の性能を失っている。
【0012】
現在日本各地で作られている木材魚礁は、コンクリートを重しとして利用しているため、木材消滅後は漁礁としての機能は皆無のコンクリート基盤のみが残され、魚礁としての有効年数が短いという致命的問題を抱えており、魚の生育に有効な木材が十分に生かされていない。
【0013】
現在は魚礁に集まってくる魚を巻き網などの漁法で効率的に大量に捕獲するため、漁獲速度が稚魚の成長による資源の回復速度を上回り、漁業資源の枯渇を招いている。
【0014】
【課題を解決するための手段】
本件魚礁を水深20〜30メートル程度の海底に設置することで、潜水調査により定期的に魚礁の状態を点検・管理することが可能となり、魚礁の設置効果を長期間にわたり継続させることができる。
【0015】
木材魚礁に重しとして比重の大きい鋳鉄枠を使用することで、コンクリートの場合に比べて大量の木材を効率的に組み込むことが可能となり、魚が好んで住む隙間や空間をより多く確保できる。
【0016】
鋳鉄枠は、木材が２〜３年で消滅しても、引き上げて何度でも木材を繰り返し補充できるため、長年月にわたり魚礁としての能力を維持できる。
【0017】
木材魚礁の周囲を、大型のコンクリート魚礁で囲うことにより、潮流等に対する魚礁全体の耐久性を確保し、また、稚魚などが強い潮流で流されることを防ぐ効果が見込まれる。
【0018】
前記コンクリート魚礁については、上下に何段かの空間を設けることで、魚礁内部に流れ込む潮流の調節機能を持たせるとともに、比較的大型の魚の定着に適した構造とする。
【0019】
同コンクリート魚礁の形状について、外側に向かって低くなるよう傾斜を設けることで、海底に沿うように水平方向で流れてくる潮流を傾斜により上方に押し上げる効果を持たせ、これによりコンクリート魚礁は強い潮流でも安定すると共に、海底の有機、無機の栄養素を魚礁の上部に継続的に供給する効果が発生し、魚礁上部付近に植物プランクトンや動物プランクトンの発生、成長を促すことができる。
【0020】
大小の円形、矩形等のパイプにより構成され、蜂ノ巣状の多数の小さい穴状の空間を有するパイプ魚礁により、大量の稚魚が外敵から身を守りながら生息できる環境が確保され、
稚魚の生存率を高めて漁業資源の向上・拡大が実現できる。
【0021】
海底に広い面積の本件魚礁を設置することにより、一定間隔で設置された係船用コンクリートブロックから海上に浮かべられるフロートが障害となり、その海域では巻き網や底引き網などの乱獲につながる漁法が実施できなくなり、長期的に見れば、大幅な漁獲高の向上が可能となる。
【0022】
【本発明の実施の形態】
木材の組み込みを容易にするため、長方形の厚い鋳鉄製鉄板枠に、組み込む木材の直径や数に応じた穴を多数並べて開ける。
【0023】
鋳鉄枠の穴の数に応じた数と太さの一定の長さの木材を並べ、木材の両側から鋳鉄枠の穴へそれぞれ差し込むことにより、鋳鉄枠で固定された簀の子状の木材のユニットとする。
【0024】
差し込んだ木材が鋳鉄枠から抜けることを防止するため、木材両側の木口から10センチ程度の所に差し込まれた鋳鉄枠の内側と外側に、木材の両端で合計４カ所釘止めすることで木材を鋳鉄枠に固定する。
【0025】
この鋳鉄枠の穴の数に応じた木材と鋳鉄枠2本で構成する簀の子状のユニットを、縦横交互に積み上げることで、一つの木材魚礁を形成する。
【0026】
使用する木材の本数と鋳鉄枠の段数を調節することで、目的とする魚種と魚体の大きさに対応した魚礁とすることが可能となる。
【0027】
この立方体状の鋳鉄枠組み木材魚礁を、一定の間隔で縦横に配置し、その外側周囲をより大型のコンクリート魚礁で囲うことにより木材魚礁システムを構成する。
【0028】
コンクリート魚礁の形状について、外側に向かって低くなるよう傾斜を設けることで、流れてくる潮流をこの傾斜に沿って上方に押し上げる作用が発生し、これによりコンクリート魚礁は反作用で海底面に押し付けられる効果が生まれ、台風などの強い潮流でも安定して木材魚礁システム全体を保護することができる。
【0029】
コンクリート魚礁には、水平方向に箱型のトンネル状の空間を数段設け、内部にある木材魚礁への適量の潮流を確保するとともに、魚体の大きい魚の生息空間として提供する。
【0030】
コンクリート魚礁や木材魚礁の間などに、一定の長さの円形や矩形の多様な太さのパイプを積み上げて一定の形状にしたパイプ魚礁を配置して、より小さな魚や微小な稚魚が生息できる空間を提供する。
【0031】
本件木材魚礁システムは、当初の建設に際してコンクリート魚礁を周囲に配置してから中身となる木材魚礁やパイプ魚礁を並べていく必要があるため、作業船を潮流がある洋上で一定の位置に固定する方法として、重量のある係船用コンクリートブロックをコンクリート魚礁の間に一定間隔で配置する。
【0032】
係船用コンクリートブロックからロープでフロートを水面に浮かべることで、クレーン作業船などを必要な箇所に正確に係留できる体制とする。
【0033】
木材魚礁に組み込まれて海中に沈められた木材は２〜４年程度で海中生物の食害等により消失するため、4〜５年程度の期間で定期的に木材を補てんする必要があり、この際に前記フロートを利用して最適な位置に作業船を固定しての沈設作業を行うことができる。
【0034】
外周をコンクリート魚礁で囲んだ木材魚礁システムを１単位として、これを縦横に延長して並べることにより、大規模木材魚礁システムを構築し、大幅な漁獲高の向上が実現可能となる。
【0035】
【発明の効果】
本件発明にかかる多種類の魚礁を効果的に配置することにより、自然環境の中で大量の稚魚から成魚までが成育可能となり、これを適切に管理することで永続的に漁獲高の大幅な増加が実現できる。
【0036】
本発明を利用することにより、一般的に高級とされるアラやイシダイなどの根付き魚の漁獲高を大幅に増大させることが可能となる。
【0037】
魚礁の設置場所は、水深２０〜３０メートル程度と比較的浅い海域を対象としており、海岸からの距離が近く、小型漁船での一本釣りによる操業が中心となることから、高額の大型船の購入は不要となり、レーダーや無線機などの高価な漁業装備も必要なく、船の燃料費もわずかで済むなど、漁業者への経済的負担は格段に軽減される。
【0038】
魚礁設置海域が増加すれば、係船用フロートが障害となってその付近では魚の増加に有害な巻き網や底引き漁などの漁法が事実上実施できないため、魚の増殖環境の改善と乱獲防止が一挙に進み、漁業資源の飛躍的な増加が実現する。
【0039】
魚礁システムが普及して沿岸での漁獲が高まれば、大型船による遠洋漁業からの回帰、転向が進み、エネルギー使用量の低減となり、二酸化炭素排出削減や排気ガスによる環境汚染対策についても大きく貢献することになる。
【0040】
沿岸から魚礁設置海域の監視が可能であり、違法な操業や外国船による操業などを防止できる。
【0041】
本件魚礁で生育する魚種は、アラやイシダイ、ヒラメなど高級魚が多いこと、稚魚や小魚が大量に住むためこれらを補食する目的で大型の回遊魚が集まることなどから、少ない個体数でも十分な収益が見込めるため、操業日数と操業時間を短縮が可能となり、重労働や荒天時の危険な操業から解放され、漁業者の就業環境が大幅に改善される。
【0042】
魚礁に利用する間伐材等の木材は、表皮を取り除く必要が無く、乾燥させる必要もないので、加工等の作業が最低限で済むメリットがある上、多少の変形や太さの大小もほとんど問題とならないので、間伐材の処理対策として木材魚礁は非常に有効である。
【0043】
森林の保護育成のため、現在緊急課題となっている間伐材の大量かつ継続的利用方法が確立する。
【0044】
間伐が進むことにより、森林の保水力が向上し、水害が減少することによる災害防止効果と、水不足の解消につながる。
【0045】
間伐以外の正規に伐採した木材の先端部分などで、これまで利用価値が無く廃棄されていた木材も、魚礁用として有効利用が可能となる。
【0046】
日本の食糧自給率の低下は歯止めがかからない状態であるが、本件魚礁による漁獲量の増大が実現すれば、良質なタンパク源が大量に自給可能とになり、将来に向けた食糧戦略上の価値は計り知れない。
【0047】
間伐が適正に実施されることになれば、現在10人に１人と言われるスギ花粉を中心とする花粉症対策としても、医療費を中心とする莫大な国家的損失の軽減につながる。
【図面の簡単な説明】
【図1】  鋳鉄枠の構造で、真上から見た平面図
【図2】  鋳鉄枠正面図
【図3】  鋳鉄枠側面図
【図4】  鋳鉄枠の重ね方
【図5】  切り込み部分拡大図
【図6】  鋳鉄枠重ね合わせの概観図
【図7】  鋳鉄枠概観図
【図8】  鋳鉄枠に木材を組み込んだ状態の概観図
【図9】  鋳鉄枠への木材の固定方法
【図10】 鋳鉄枠の組立概観
【図11】 鋳鉄枠組み木材魚礁  平面図
【図12】 正面図
【図13】 側面図
【図14】 海底のコンクリート魚礁と木材魚礁の配置側面概観図
【図15】 外周用コンクリート魚礁平面図
【図16】 コンクリート魚礁正面図(外周用・間仕切り用共通)
【図17】 外周用コンクリート魚礁側面図
【図18】 外周用コンクリート魚礁概観図
【図19】 係船用コンクリートブロック
【図20】 立方形の大型伊勢エビ棚(パイプ組み魚礁)  正面図
【図21】 概観図
【図22】 円柱形の大型伊勢エビ棚(パイプ組み魚礁)
【図23】 円筒形の大型伊勢エビ棚(パイプ組み魚礁)
【図24】 隙間用伊勢エビ棚(パイプ組み魚礁)のバリエーション
矩形仕切型伊勢エビ棚
【図25】 円形仕切型伊勢エビ棚(パイプ組み魚礁)
【図26】 伊勢エビ棚(パイプ組み魚礁)の設置概観
【図27】 木材魚礁、コンクリート魚礁および伊勢エビ棚のレイアウト平面図
【図28】 木材魚礁、コンクリート魚礁および伊勢エビ棚のレイアウト平面図-2
【図29】 大型魚礁システムのレイアウト
【図30】 魚礁システムの設置作業の概観図
【図１】
0003684502.tif 000002
【図２】
0003684502.tif 000003
【図３】
0003684502.tif 000004
【図４】
0003684502.tif 000005
【図５】
0003684502.tif 000006
【図６】
0003684502.tif 000007
【図７】
0003684502.tif 000008
【図８】
0003684502.tif 000009
【図９】
0003684502.tif 000010
【図１０】
0003684502.tif 000011
【図１１】
0003684502.tif 000012
【図１２】
0003684502.tif 000013
【図１３】
0003684502.tif 000014
【図１４】
0003684502.tif 000015
【図１５】
0003684502.tif 000016
【図１６】
0003684502.tif 000017
【図１７】
0003684502.tif 000018
【図１８】
0003684502.tif 000019
【図１９】
0003684502.tif 000020
【図２０】
0003684502.tif 000021
【図２１】
0003684502.tif 000022
【図２２】
0003684502.tif 000023
【図２３】
0003684502.tif 000024
【図２４】
0003684502.tif 000025
【図２５】
0003684502.tif 000026
【図２６】
0003684502.tif 000027
【図２７】
0003684502.tif 000028
【図２８】
0003684502.tif 000029
【図２９】
0003684502.tif 000030
【図３０】
0003684502.tif 000031